(57)【特許請求の範囲】
【請求項１】
建造物の屋上、屋根等に設置される植物の断熱植栽構造であって、下地上に形成される防水層と、  植物の毛根等の侵出を防止するために前記防水層上に固着張設されるルートガードと、ルートガード上に設けられる断熱基盤と、この断熱基盤上に積層される客土層と、前記断熱基盤と客土層との間に敷設されるフィルターとを具え、前記断熱基盤の表面には、多数形成された突起とこの突起周りに生じる凹部溝が格子状に形成されるとともに、前記突起の頂部には凹陥部が形成される一方、格子状に形成された前記凹部溝には多数の細管が断熱基盤の底部に通じて形成され、この細管の上端は前記凹部溝に開口しており、下端は断熱基盤の底部表面で開口しており、断熱基盤底部表面における細管の各開口部は断熱基盤底部表面に格子状に形成された溝部で結ばれてなり、降雨、潅水のうち前記客土層の吸収保持量を超えて客土層から滴下して前記凹陥部に保持された余剰水又は前記凹陥部、前記凹部溝、前記細管、前記溝部で構成される経路空間およびこの経路空間に収納される客土層からの滴下余剰水を断熱基板と協働する蓄熱手段として機能させるようになすとともに、前記凹陥部の開口部には溢れ出る水を凹部溝に流出させるための水の通路を十字状に形成して、客土層における降雨、潅水の大部は客土層の土壌に吸収保持させ、余剰の一部はフィルターを通り断熱基盤に達してさらに前記突起の頂部における凹陥部に保持させ、余剰水の量が凹陥部に全量収容できない場合は余剰水の一部を前記凹部溝に溢出させて、その量が多いときは前記細管とこれに連通する前記溝部とによる空間に蓄積して内部に滞留させて下地の熱が水を介して外部に放出されないようにして断熱効果を向上させたことを特徴とする断熱植栽構造。
【発明の詳細な説明】
【技術分野】
【０００１】
この発明は、植木、草花その他の植物を簡便に植栽することのできる植栽構造、特に建造物の屋上や屋根等で植物を栽培するために設けられる植栽装置の断熱構造盤に関するものである。
【背景技術】
【０００２】
建造物における外断熱の効果が認知されて、今日では、建物の屋上等においても下地に断熱材を敷設する工法が広く採用されている。  他方、建造物の屋上やその他の空間に大規模に植物を植栽し、都市部における無機的な空間の緑化を図る試みが盛んになされるようになっている。  そして、両者の併設により効率的な省エネ効果を実現することができる。
【０００３】
図４は、従来の外断熱と屋上緑化の複合構造を示す一部切欠断面図である。図において、１はコンクリート下地、２はコンクリート下地１上に張設される防水層、３は植物の毛根等の侵出を防止するために前記防水層２上に固着張設されるルートガード、４はルートガード３上に設けられる断熱基盤で、発泡スチロールなどの断熱材から形成されている。  この断熱基盤４上にはフィルター５を介して客土層６が積層され種々の植物が植栽されるようになっている。  そして、前記断熱基盤４の表面すなわちフィルター５を介して客土層６に接する面には通水溝４a、４aが格子状に配設され、裏面すなわち防水層２と接する面には排水溝４ｂ、４ｂが格子状に配設されていて、排水溝４ｂを流れる水は、別途の廃水処理機構（不図示）に流下することになる。
【０００４】
なお、本願発明に関する文献としてつぎのようなものが存在する。
【特許文献１】特開２００２−２９１３３９号公報
【特許文献２】特開２００５−１９８５２９号公報
【特許文献３】特開２００５−３４１８６９号公報
【発明の開示】
【発明が解決しようとする課題】
【０００５】
上記従来の外断熱と屋上緑化の複合構造にあっては、上述のような構成を有することにより、客土層６における雨水、潅水の余剰分は通水溝4aを解して排水溝4bに至りここを流れて廃水処理機構に移動する。  このことは、防水層２を介してであるが下地１上を水が常に移動することを意味しており、この移動により下地１、防水層２における熱エネルギーが流水により外部へ移動廃棄されてしまい、折角断熱基盤４を使用した意味が損なわれることになる。
【課題を解決するための手段】
【０００６】
本願発明は、建造物の屋上、屋根等に設置される植物の断熱植栽構造であって、下地上に形成される防水層と、  植物の毛根等の侵出を防止するために前記防水層上に固着張設されるルートガードと、ルートガード上に設けられる断熱基盤と、この断熱基盤上に積層される客土層と、前記断熱基盤と客土層との間に敷設されるフィルターとを具え、前記断熱基盤の表面には、多数形成された突起とこの突起周りに生じる凹部溝が格子状に形成されるとともに、前記突起の頂部には凹陥部が形成される一方、格子状に形成された前記凹部溝には多数の細管が断熱基盤の底部に通じて形成され、この細管の上端は前記凹部溝に開口しており、下端は断熱基盤の底部表面で開口しており、断熱基盤底部表面における細管の各開口部は断熱基盤底部表面に格子状に形成された溝部で結ばれてなり、降雨、潅水のうち前記客土層の吸収保持量を超えて客土層から滴下して前記凹陥部に保持された余剰水又は前記凹陥部、前記凹部溝、前記細管、前記溝部で構成される経路空間およびこの経路空間に収納される客土層からの滴下余剰水を断熱基板と協働する蓄熱手段として機能させるようになすとともに、前記凹陥部の開口部には溢れ出る水を凹部溝に流出させるための水の通路を十字状に形成して、客土層における降雨、潅水の大部は客土層の土壌に吸収保持させ、余剰の一部はフィルターを通り断熱基盤に達してさらに前記突起の頂部における凹陥部に保持させ、余剰水の量が凹陥部に全量収容できない場合は余剰水の一部を前記凹部溝に溢出させて、その量が多いときは前記細管とこれに連通する前記溝部とによる空間に蓄積して内部に滞留させて下地の熱が水を介して外部に放出されないようにして断熱効果を向上させるようにした断熱植栽構造を提供して、上記従来の課題を解決しようとするものである。
【発明の効果】
【０００７】
本願発明において、断熱植栽構造を下地上に形成される防水層と、植物の毛根等の侵出を防止するために前記防水層上に固着張設されるルートガードと、ルートガード上に設けられる断熱基盤と、この断熱基盤上に積層される客土層と、前記断熱基盤と客土層との間に敷設されるフィルターとを具え、断熱材による前記断熱基盤には蓄熱手段を具える構成とし、客土層からの水はこの蓄熱手段中に閉鎖されて客土層からルートガードまたは防水層に至る水が下地との間で熱交換をなして外部に排出されることがなく、断熱基盤は極めて効率のよい断熱効果を得ることができる。
【最良の実施形態】
【０００８】
植物の断熱植栽構造は、下地上に形成される防水層と、植物の毛根等の侵出を防止するために前記防水層上に固着張設されるルートガードと、ルートガード上に設けられる断熱基盤と、この断熱基盤上に積層される客土層と、前記断熱基盤と客土層との間に敷設されるフィルターとを具えて構成されるが、客土層には降水、潅水等により水が浸透する。その大部分は土壌中に保持されるがある量の水は土壌から下方の断熱基盤に滲出する。  この滲出水あるいは漏水に対する措置を講じておかないと、すなわち、断熱基盤への水の流出を確保しておかないと土壌中に過剰な水分が滞留して植物の根腐れ等の原因になる。
【０００９】
そこで、本願発明では、断熱基盤に水を滞留させる蓄熱手段を設けて断熱基盤に流下する滲出水あるいは漏水に対処するようにしている。断熱基盤に流下した水をそこから外部に流したり、あるいはルートガード、防水層表面を通過させて外部に流出させると、すなわち常に水が移動できる状態におくと、その水は流れる過程で流域から熱を奪い外部に放出することになる。本願発明では、蓄熱手段により水を外部に流出させることなく接した箇所から収熱した状態で滞留させて断熱効果を挙げるようにしている。換言すれば、蓄熱手段はある種の断熱手段とも言うことができる。滞留水による補助断熱手段である。
【００１０】
蓄熱手段は、客土層、断熱基盤、ルートガード・防水層の間に形成される水の滞留経路で構成する。客土層からの滲出水あるいは漏水はその大部分が滞留経路に保持されて移動することがないから水の流出に熱交換したカロリーを外部に放出することがない。
【００１１】
前記滞留経路の形態は種々可能であるが、断熱基盤の表面に複数形成され客土層からの漏水を受ける受水部と、これら受水部から溢れ出た水の保水部と、この保水部と断熱基盤底面との間に形成される細管とから構成し、受水部、保水部、細管に水を滞留させるようにする。
【００１２】
滞留経路の構成に関しては、前記断熱基盤の表面には多数の突起部を形成して、前記受水部は突起部の頂部に形成した凹陥部により構成し、前記保水部は前記突起部間に形成される凹部により構成するとともに、この凹部と断熱基盤底面とを結ぶ細管により構成する。そして、断熱基盤底面には細管の各開口部を結ぶ溝部を形成する。  この溝部は、受水部、保水部、細管とともに滞留経路を構成することになり、ここに水の大部が滞留して、下地部からのルートガード、防水層を介して熱伝導により水への熱移転が生じるが水は滞留するため、熱が外部に放出されることはなく、下地以下の断熱効果が全うされることになる。  なお、断熱基盤は種々の断熱材により形成できるが、発泡スチロール等の汎用されている素材が好ましい。
【００１３】
蓄熱手段としての前記滞留経路の容量には限りがあるから、大量の降雨に備えて客土層の囲繞壁等の上部から客土層および滞留経路の保持量を超える量の水を排水できるようにしておくことが望ましい。
したことを特徴とする断熱植栽構造。  なお、滞留経路における滞留水は、客土層の乾燥時にはフィルターを介して水分又は水蒸気として客土層へ還流する水分補給源となることがある。
【発明の実施例】
【００１４】
以下、この発明の実施例を図面に基づき説明する。  図１は、本願発明に係る断熱植栽構造の一実施例を示す一部切欠断面図である。
図において、２１はコンクリート下地、２２はコンクリート下地２１上に張設される防水層、２３は植物の毛根等の侵出を防止するために前記防水層２２上に固着張設されるルートガード、２４はルートガード３上に設けられる断熱基盤で、発泡スチロールなどの断熱材から形成されている。
この断熱基盤２４上にはフィルター２５を介して客土層２６が積層され種々の植物が植栽されるようになっている。  そして、前記断熱基盤２４の表面すなわちフィルター２５を介して客土層２６に接する面には、複数の突起２７，２７が形成されその頂部には凹陥部２８が形成されている。  そして、後述の図２に示すように、前記突起２７の周囲には凹部溝２９が格子状に形成されている。また、３０は、凹部溝２９底部と断熱基盤２４の底部を結ぶ細管で、断熱基盤２４の底面において開口しており、前記細管３０の各開口部を結んで断熱基盤２４の底部表面には格子状に形成された溝部３１が形成されている。
【００１５】
図２は、前記断熱基盤２４の一部切欠斜視図である。前述のように、断熱基盤２４の表面には突起２７が多数形成されていて、結果として突起２７周りには凹部溝２９が格子状に形成されることになる。
突起２７の頂部には凹陥部２８が形成され、格子状に形成された凹部溝２９には多数の細管３０が形成され、凹部溝２９と断熱基盤２４の底部とを結んでいる。細管３０の上端は前記凹部溝２９に開口しており、下端は断熱基盤２４の底部表面で開口しており、底部表面の開口部は格子状に形成された溝部３１で結ばれている。
【００１６】
上記実施例において、断熱基盤２４における蓄熱手段を構成する客土層からの漏水の滞留経路は、断熱基盤の表面に複数形成され客土層２６からの漏水を受ける受水部と、これら受水部から溢れ出た水の保水部と、この保水部と断熱基盤底面との間に形成される細管３０と、細管３０の下部開口端を断熱基盤２４底面において結ぶ溝部３１とから構成されている。
【００１７】
そして、該実施例において、受水部は、前記突起２７の頂部に形成される凹陥部２８により構成されている。  また、保水部は突起２７周りに格子状に形成される前記凹部溝２９により構成されている。
なお、突起２７の頂部に形成される前記凹陥部２８の開口部には、図３に示すように溢れ出る水の通路２８aを設ける場合がある。
【００１８】
客土層２６における降雨、潅水の大部は客土層２６の土壌に吸収保持されるが余剰の一部はフィルター２５を通り断熱基盤２４に達する。  断熱基盤２４に達した余剰水は、まず突起２７の頂部における凹陥部２８に保持される。  まれに、余剰水の量が凹陥部２８に全量収容できない場合は、余剰水の一部は凹部溝２９に溢れ出て、その量が多いときは細管３０とこれに連通する溝部３１とによる空間に蓄積され外部に流出移動することなく滞留する。そして、突起２７の頂部における凹陥部２８、凹部溝２９、細管３０、溝部３１に収容される水は滞留して外部に移動することがないから、下地２１の熱も水を介して外部に放出されることがない。  すなわち、突起２７の頂部における凹陥部２８、凹部溝２９、細管３０、溝部３１およびこれに収納される水は、いわば蓄熱手段あるいは断熱基盤２４の断熱機能に取り込まれるあるいはこれと協働する断熱手段としての機能をはたすことになり、断熱基盤２４は雨水、潅水等により本来の断熱性能に影響を受けることがない。
【図面の簡単な説明】
【００１９】
【図１】本願発明の一実施例を示す一部切欠縦断面図である。
【図２】図１に示す断熱基盤の一実施例の一部切欠斜視図である。
【図３】断熱基盤の他の実施例を示す一部切欠斜視図である。
【図４】従来の断熱植栽構造を示す断面図である。
【符号の説明】
【００２０】
２１．．．．．．．．．下地
２２．．．．．．．．．防水層
２３．．．．．．．．．ルートガード
２４．．．．．．．．．断熱基盤
２５．．．．．．．．．フィルター
２６..........客土層
２７..........突起
２８..........凹陥部
２８a.........通路
２９..........凹部溝
３０..........細管
３１..........溝部
【図１】
0005241082.tif 000002
【図２】
0005241082.tif 000003
【図３】
0005241082.tif 000004
【図４】
0005241082.tif 000005